(57)【要約】 【課題】  スライドアセンブリの構造を単純化させ、前記スライドアセンブリが適用される携帯電話やＰＤＡなどの移動通信端末機の厚みを減らすと共に、製作時の生産性を向上させることのできる、移動通信端末機用スライダーアセンブリを提供する。【解決手段】  ボディと、前記ボディと平行に配置され、少なくとも一つの長いスロットを含んでなるスライダーと、前記スロットを貫通して前記ボディに連結され、前記スライダーが前記ボディを滑りやすいように案内し、前記スライダーが前記ボディから離脱することを防止する少なくとも一つの案内部材とを含むことを特徴とする。【選択図】  図１
2005086836.tif 000002
【特許請求の範囲】
【請求項１】
ボディと、
前記ボディと平行に配置され、少なくとも一つの長いスロットを含んでなるスライダーと、
前記スロットを貫通して前記ボディに連結され、前記スライダーが前記ボディを滑りやすいように案内し、前記スライダーが前記ボディから離脱することを防止する少なくとも一つの案内部材と、
を含むことを特徴とする移動通信端末機用スライドアセンブリ。
【請求項２】
前記ボディとスライダーに接触するように備えられ、前記ボディとスライダーを弾力的に支持する弾性部材を更に含むことを特徴とする請求項１に記載の移動通信端末機用スライドアセンブリ。
【請求項３】
前記スロットは、前記スライダーのスライディング方向の両側に形成されることを特徴とする請求項１に記載の移動通信端末機用スライドアセンブリ。
【請求項４】
前記弾性部材は、
前記ボディに取り付けられる平面部と、
前記平面部から前記スライダー側に突出して、前記スライダーを弾力的に支持する少なくとも一つのベンディング部と、
を含むことを特徴とする請求項２に記載の移動通信端末機用スライドアセンブリ。
【請求項５】
前記ベンディング部は、前記平面部の両先端に備えられることを特徴とする請求項４に記載の移動通信端末機用スライドアセンブリ。
【請求項６】
前記ベンディング部は、前記スロットの幅より大きい幅を有し、前記スロットの両側と隣接したスライダーの一部分を支持することを特徴とする請求項４に記載の移動通信端末機用スライドアセンブリ。
【請求項７】
前記平面部は前記ボディの背面に固定され、前記ベンディング部は前記ボディを貫通するように配置されることを特徴とする請求項４に記載の移動通信端末機用スライドアセンブリ。
【請求項８】
前記弾性部材は、前記スライダーの移動方向に対して前記案内部材の前方と後方で前記スライダーを支持することを特徴とする請求項２に記載の移動通信端末機用スライドアセンブリ。
【請求項９】
前記スライダーは、前記案内部材が前記スロットの先へ移動して停止した時、前記弾性部材に掛って拘束されるように、前記スライダーから前記ボディ側に突出した少なくとも一つの突起を更に含むことを特徴とする請求項２に記載の移動通信端末機用スライドアセンブリ。
【請求項１０】
前記スライダーは、
前記スライダーに備えられ、前記案内部材の上端を収容し、底部には前記スロットが備えられる少なくとも一つの長いグルーブを更に含むことを特徴とする請求項１に記載の移動通信端末機用スライドアセンブリ。
【請求項１１】
前記スライダーは、前記グルーブに挿入される少なくとも一つのカバーを更に含むことを特徴とする請求項１０に記載の移動通信端末機用スライドアセンブリ。
【請求項１２】
前記スライダーは、
前記ボディの全面と向き合う中央部と、
前記中央部の両側に前記中央部より高く形成され、前記弾性部材によって支持される側面部と、
を更に含むことを特徴とする請求項２に記載の移動通信端末機用スライドアセンブリ。
【請求項１３】
前記ボディは、前記案内部材の下端が挿入される少なくとも一つの凹溝を含むことを特徴とする請求項１に記載の移動通信端末機用スライドアセンブリ。
【請求項１４】
前記案内部材は、
前記スロットを貫通して前記ボディに連結されるガイドと、
前記ガイドの上端に備えられ、前記スロットの幅より広い幅を有するヘッドと、
を含むことを特徴とする請求項１に記載の移動通信端末機用スライドアセンブリ。
【請求項１５】
前記弾性部材と案内部材、及び前記ボディを一度に固定する固定部材を更に含むことを特徴とする請求項２に記載の移動通信端末機用スライドアセンブリ。
【請求項１６】
前記固定部材は、前記ボディと前記弾性部材を貫通して、前記案内部材に結合されることを特徴とする請求項１５に記載の移動通信端末機用スライドアセンブリ。
【請求項１７】
前記ボディとスライダーに装着される各電気部品を電気的に連結する配線が通過できるように、前記ボディとスライダーのうち少なくとも何れか一方に備えられる開口部を更に含むことを特徴とする請求項１に記載の移動通信端末機用スライドアセンブリ。
【請求項１８】
少なくとも一つの穴を有するボディと、
前記ボディの前面に配置され、少なくとも一つの長いグループと、前記グループの底部に備えられる長いスロットとを含んでなるスライダーと、
前記スロットを貫通して下端が前記ボディに連結されたガイドと、前記ガイドの上端で前記スロットの幅より広い幅で延長されるヘッドとを含んでなる少なくとも一つの案内部材と、
前記ボディの背面に取り付けられ、その一部が前記穴を貫通して前記スライダーを弾力的に支持する弾性部材と、
を含むことを特徴とする移動通信端末機用スライドアセンブリ。
【請求項１９】
前記弾性部材、ボディ、及び案内部材に互いに連通するようそれぞれ備えられた貫通ホールと、
前記管通ホールを貫通して、前記弾性部材と案内部材を前記ボディに固定する固定部材と、
を更に含むことを特徴とする請求項１８に記載の移動通信端末機用スライドアセンブリ。
【請求項２０】
前記弾性部材は、
前記ボディの背面に取り付けられる平面部と、
前記平面部の両先端から前記スライダー側に突出し、前記穴を貫通して前記スライダーに接触する少なくとも一つのベンディング部を含むことを特徴とする請求項１８に記載の移動通信端末機用スライドアセンブリ。
【請求項２１】
前記ベンディング部は、前記スロットの幅より大きい幅を有し、前記スロットの両側と隣接したスライダーの一部分を支持することを特徴とする請求項２０に記載の移動通信端末機用スライドアセンブリ。
【請求項２２】
前記ボディは、前記案内部材の下端が挿入される凹溝を含むことを特徴とする請求項１８に記載の移動通信端末機用スライドアセンブリ。
【請求項２３】
前記ヘッドは、前記グルーブに挿入されることを特徴とする請求項１８に記載の移動通信端末機用スライドアセンブリ。
【請求項２４】
前記スライダーは、
前記ボディの前面と向き合う中央部と、
前記中央部の両側に前記中央部より高く形成され、前記弾性部材によって支持される側面部と
を更に含むことを特徴とする請求項１８に記載の移動通信端末機用スライドアセンブリ。
【請求項２５】
前記グルーブと前記スロットは、前記側面部に備えられることを特徴とする請求項２４に記載の移動通信端末機用スライドアセンブリ。
【請求項２６】
前記スライダーは、前記グルーブの端部と、前記スロットの端部との間で前記ボディ側に突出し、前記案内部材が前記スロットの先へ移動し停止した時に掛って拘束される、少なくとも一つの突起を更に含むことを特徴とする請求項１８に記載の移動通信端末機用スライドアセンブリ。
【請求項２７】
前記スライダーは、前記案内部材と前記スロットを覆うために、前記グルーブに挿入されるカバーを更に含むことを特徴とする請求項１８に記載の移動通信端末機用スライドアセンブリ。
【請求項２８】
前記ボディとスライダーに装着される各電気部品を電気的に連結する配線が通過できるように、前記ボディとスライダーのうち少なくとも何れか一方に備えられる開口部を更に含むことを特徴とする請求項１８に記載の移動通信端末機用スライドアセンブリ。
【発明の詳細な説明】
【技術分野】
【０００１】
本発明は、スライダーアセンブリに関し、特に携帯電話、ＰＤＡなどの移動通信端末機に適用されるスライダーアセンブリに関する。
【背景技術】
【０００２】
一般に、移動通信端末機は、技術の発展に伴い、単純な音声情報のみの伝達ばかりでなく、文字情報、画像情報、ゲームなどをユーザーに提供するに至った。
【０００３】
このような移動通信端末機の代表的な例としては、携帯電話とＰＤＡなどがある。そのうち、携帯電話は、ボディの構造によってバータイプ、フリップタイプ、及びフォルダータイプに分類される。ここで、前記バータイプとフリップタイプの携帯電話の場合、構造が簡単ではあるが、電話機の長さが長いという問題がある。
【０００４】
そして、前記フォルダータイプの携帯電話は、折り畳み状態では長さが短く携帯が便利であり、広げた場合には通話や操作がしやすい大きさまで長くなるという長所がある。
【０００５】
しかし、前記フォルダータイプは、頻繁な閉じ開けによってヒンジ部分の破損が生じやすいという問題を有している。
【０００６】
したがって、最近は、前記フォルダータイプの問題を克服したスライドタイプのものが提供されている。前記スライドタイプの携帯電話は、一般的に、別途に製作されたスライドモジュールがボディとスライダーにそれぞれ固定された構造を有する。したがって、スライドタイプのものは、前記スライダーを前記ボディに平行にスライディングさせ、電話機の長さを伸ばしたり減らすことができ、回転したり過度な力が与えられる部分がないので、故障が少ないという長所がある。
【発明の開示】
【発明が解決しようとする課題】
【０００７】
しかしながら、このような長所にも拘わらず、典型的なスライドタイプ携帯電話機において、前記ボディとスライダーには、それぞれ別途に製作されたスライドモジュールを固定するための構造が備えられていなければならない。したがって、典型的なスライドタイプのものでは前記ボディとスライダーの構造が複雑となり、前記スライドモジュールを固定するために必要な部品の厚さだけ電話機の厚みが増加するという問題が発生する。
【０００８】
本発明は上記の問題点を解決するためのもので、その目的は、スライドアセンブリの構造を単純化させ、前記スライドアセンブリが適用される携帯電話やＰＤＡなどの移動通信端末機の厚みを減らすと共に、製作時の生産性を向上させることにある。
【課題を解決するための手段】
【０００９】
本発明による移動通信端末機用スライドアセンブリは、ボディと、前記ボディと平行に配置され、少なくとも一つの長いスロットを含んでなるスライダーと、前記スロットを貫通して前記ボディに連結され、前記スライダーが前記ボディを滑りやすいように案内し、前記スライダーが前記ボディから離脱することを防止する少なくとも一つの案内部材と、を含むことを特徴とすることにより、上記目的を達成する。
【００１０】
前記ボディとスライダーに接触するように備えられ、前記ボディとスライダーを弾力的に支持する弾性部材を更に含むことを特徴としてもよい。
【００１１】
前記スロットは、前記スライダーのスライディング方向の両側に形成されることを特徴としてもよい。
【００１２】
前記弾性部材は、前記ボディに取り付けられる平面部と、前記平面部から前記スライダー側に突出して、前記スライダーを弾力的に支持する少なくとも一つのベンディング部と、を含むことを特徴としてもよい。
【００１３】
前記ベンディング部は、前記平面部の両先端に備えられることを特徴としてもよい。
【００１４】
前記ベンディング部は、前記スロットの幅より大きい幅を有し、前記スロットの両側と隣接したスライダーの一部分を支持することを特徴としてもよい。
【００１５】
前記平面部は前記ボディの背面に固定され、前記ベンディング部は前記ボディを貫通するように配置されることを特徴としてもよい。
【００１６】
前記弾性部材は、前記スライダーの移動方向に対して前記案内部材の前方と後方で前記スライダーを支持することを特徴としてもよい。
【００１７】
前記スライダーは、前記案内部材が前記スロットの先へ移動して停止した時、前記弾性部材に掛って拘束されるように、前記スライダーから前記ボディ側に突出した少なくとも一つの突起を更に含むことを特徴としてもよい。
【００１８】
前記スライダーは、前記スライダーに備えられ、前記案内部材の上端を収容し、底部には前記スロットが備えられる少なくとも一つの長いグルーブを更に含むことを特徴としてもよい。
【００１９】
前記スライダーは、前記グルーブに挿入される少なくとも一つのカバーを更に含むことを特徴としてもよい。
【００２０】
前記スライダーは、前記ボディの全面と向き合う中央部と、前記中央部の両側に前記中央部より高く形成され、前記弾性部材によって支持される側面部と、を更に含むことを特徴としてもよい。
【００２１】
前記ボディは、前記案内部材の下端が挿入される少なくとも一つの凹溝を含むことを特徴としてもよい。
【００２２】
前記案内部材は、前記スロットを貫通して前記ボディに連結されるガイドと、前記ガイドの上端に備えられ、前記スロットの幅より広い幅を有するヘッドと、を含むことを特徴としてもよい。
【００２３】
前記弾性部材と案内部材、及び前記ボディを一度に固定する固定部材を更に含むことを特徴としてもよい。
【００２４】
前記固定部材は、前記ボディと前記弾性部材を貫通して、前記案内部材に結合されることを特徴としてもよい。
【００２５】
前記ボディとスライダーに装着される各電気部品を電気的に連結する配線が通過できるように、前記ボディとスライダーのうち少なくとも何れか一方に備えられる開口部を更に含むことを特徴としてもよい。
【００２６】
本発明による移動通信端末機用スライドアセンブリは、少なくとも一つの穴を有するボディと、前記ボディの前面に配置され、少なくとも一つの長いグループと、前記グループの底部に備えられる長いスロットとを含んでなるスライダーと、前記スロットを貫通して下端が前記ボディに連結されたガイドと、前記ガイドの上端で前記スロットの幅より広い幅で延長されるヘッドとを含んでなる少なくとも一つの案内部材と、前記ボディの背面に取り付けられ、その一部が前記穴を貫通して前記スライダーを弾力的に支持する弾性部材と、を含むことを特徴とすることにより、上記目的を達成する。
【００２７】
前記弾性部材、ボディ、及び案内部材に互いに連通するようそれぞれ備えられた貫通ホールと、前記管通ホールを貫通して、前記弾性部材と案内部材を前記ボディに固定する固定部材と、を更に含むことを特徴としてもよい。
【００２８】
前記弾性部材は、前記ボディの背面に取り付けられる平面部と、前記平面部の両先端から前記スライダー側に突出し、前記穴を貫通して前記スライダーに接触する少なくとも一つのベンディング部を含むことを特徴としてもよい。
【００２９】
前記ベンディング部は、前記スロットの幅より大きい幅を有し、前記スロットの両側と隣接したスライダーの一部分を支持することを特徴としてもよい。
【００３０】
前記ボディは、前記案内部材の下端が挿入される凹溝を含むことを特徴としてもよい。
【００３１】
前記ヘッドは、前記グルーブに挿入されることを特徴としてもよい。
【００３２】
前記スライダーは、前記ボディの前面と向き合う中央部と、前記中央部の両側に前記中央部より高く形成され、前記弾性部材によって支持される側面部とを更に含むことを特徴としてもよい。
【００３３】
前記グルーブと前記スロットは、前記側面部に備えられることを特徴としてもよい。
【００３４】
前記スライダーは、前記グルーブの端部と、前記スロットの端部との間で前記ボディ側に突出し、前記案内部材が前記スロットの先へ移動し停止した時に掛って拘束される、少なくとも一つの突起を更に含むことを特徴としてもよい。
【００３５】
前記スライダーは、前記案内部材と前記スロットを覆うために、前記グルーブに挿入されるカバーを更に含むことを特徴としてもよい。
【００３６】
前記ボディとスライダーに装着される各電気部品を電気的に連結する配線が通過できるように、前記ボディとスライダーのうち少なくとも何れか一方に備えられる開口部を更に含むことを特徴としてもよい。
【００３７】
上記目的を達成するための本発明の一形態による移動通信端末機用スライドアセンブリは、ボディと、前記ボディと平行に配置され、少なくとも一つの長いスロットを含んでなるスライダーと、前記スロットを貫通して前記ボディに連結され、前記スライダーが前記ボディを滑りやすいように案内し、前記スライダーが前記ボディから離脱することを防止する少なくとも一つの案内部材とを含むことを特徴とする。
【００３８】
ここで、前記スライドアセンブリは、前記ボディとスライダーに接触するように備えられ、前記ボディとスライダーを弾力的に支持する弾性部材を更に含む。そして、前記スロットは、前記スライダーのスライディング方向の両側に形成されることが好ましい。
【００３９】
一方、前記弾性部材は、前記ボディに取り付けられる平面部と、前記平面部から前記スライダー側に突出して、前記スライダーを弾力的に支持する少なくとも一つのベンディング部とを含むことを特徴とする。
【００４０】
この場合、前記ベンディング部は、前記平面部の両先端に備えられることが好ましい。そして、前記ベンディング部は、前記スロットの幅より大きい幅を有し、前記スロットの両側と隣接したスライダーの一部分を支持することが好ましい。
【００４１】
また、前記平面部は前記ボディの背面に固定され、前記ベンディング部は前記ボディを貫通するように配置されることが好ましい。
【００４２】
そして、前記弾性部材は、前記スライダーの移動方向に対して前記案内部材の前方と後方で前記スライダーを支持することが好ましい。
【００４３】
一方、前記スライダーは、前記案内部材が前記スロットの先へ移動して停止した時、前記弾性部材に掛って拘束されるように、前記スライダーから前記ボディ側に突出した少なくとも一つの突起を更に含むことを特徴とする。
【００４４】
そして、前記スライダーは、前記スライダーに備えられ、前記案内部材の上端を収容し、底部には前記スロットが備えられる少なくとも一つの長いグルーブを更に含む。この場合、前記スライダーは、  前記グルーブに挿入される少なくとも一つのカバーを更に含んでなり得る。
【００４５】
一方、前記スライダーは、前記ボディの全面と向き合う中央部と、前記中央部の両側に前記中央部より高く形成され、前記弾性部材によって支持される側面部とを更に含むことを特徴とする。そして、前記ボディは、前記案内部材の下端が挿入される少なくとも一つの凹溝を含む。
【００４６】
前記案内部材は、前記スロットを貫通して前記ボディに連結されるガイドと、前記ガイドの上端に備えられ、前記スロットの幅より広い幅を有するヘッドとを含むことを特徴とする。  
【００４７】
前記スライドアセンブリは、前記弾性部材と案内部材、及び前記ボディを一度に固定する固定部材を更に含むことを特徴とする。この場合、前記固定部材は、前記ボディと前記弾性部材を貫通して、前記案内部材に結合され得る。
【００４８】
一方、前記スライドアセンブリは、前記ボディとスライダーに装着される各電気部品を電気的に連結する配線が通過できるように、前記ボディとスライダーのうち少なくとも何れか一方に備えられる開口部を更に含むことを特徴とする。
【発明の効果】
【００４９】
本発明に係るスライドアセンブリは、案内部材がスライダーと、ボディとを連結しながらスライダーの滑りを案内する構造を有する。したがって、スライドアセンブリの構造が非常に簡単であるばかりでなく、スライドアセンブリが適用された携帯電話やＰＤＡなどの移動通信端末機の厚みを減らせる。
【００５０】
そして、スライダーは、弾性部材によって弾力的に支持され、突起は、スライダーの初期位置と最終位置を安定的に維持する。したがって、スライダーの動きがスムースになるばかりでなく、安定的に作動する。
【００５１】
また、スライダーが初期及び最終位置を離脱したり復帰する時、“カチッ”と音が発生し、振動がユーザーの手に伝達されるので、ユーザーがスライダーの作動及び移動状態を把握しやすい。
【００５２】
また、弾性部材がボディの背面に取り付けられるので、スライドアセンブリ、特に弾性部材の弾性力低下などの故障時には、前記スライダーと案内部材とを分離せず、弾性部材のみ取り替え得る。
【発明を実施するための最良の形態】
【００５３】
以下、本発明の好適な実施の形態について、添付の図面に基づいて詳細に説明する。
【００５４】
ここで、同一の構成については同一の名称及び符号を付し、その付加的な説明は下記で省略する。
【００５５】
本発明に係るスライドアセンブリは、携帯電話と、ＰＤＡなどの移動通信端末機に適用され得る。ところが、本発明に係るスライドアセンブリが適用された製品の長さがユーザーの操作によって変化し得ることを考慮すると、本発明に係るスライドアセンブリは、携帯電話に適用時に優れた効果を発揮できる。
【００５６】
以下では、本発明に係るスライドアセンブリの構造について詳細に説明する。
【００５７】
図１に示すように、本発明に係るスライドアセンブリは、ボディ１０、スライダー３０、案内部材４０を含んでなる。そして、前記スライダー３０が前記ボディ１０をスムースに動き、これらの摩擦を防止するよう前記スライドアセンブリは弾性部材２０を更に含んでなる。
【００５８】
前記スライドアセンブリで、前記ボディ１０とスライダー３０のうち少なくとも何れか一方には、チップが装着されたボード、キーパッド、及びディスプレイなどの電気部品のうち少なくとも何れか一つ以上が装着される。例えば、前記ボディ１０に前記ボード及びキーパッドが備えられ、前記スライダー３０にディスプレイが備えられ得る。
【００５９】
前記ボディ１０と前記スライダー３０に共に電気部品が備えられる場合、前記ボディ１０に設置された部品と、前記スライダー３０に設置された部品とを電気的に連結する必要がある。このために、前記ボディ１０と、スライダー３０のうち少なくとも何れか一方には、前記ボディ１０に装着された電気部品と、前記スライダー３０に装着された電気部品とを電気的に連結する配線が通過できる開口部３５が備えられることが好ましい。参考までに、図１及び図２には、前記開口部３５が前記スライダー３０に備えられた例が図示されている。
【００６０】
一方、図１に示すように、前記ボディ１０には少なくとも一つの穴１２が備えられる。
【００６１】
ここで、前記穴１２は、前記弾性部材２０の一部が貫通するためのものであるので、前記弾性部材２０が前記ボディ１０の前面に取り付けられる場合には、前記穴１２が前記ボディ１０に備えられなくても良い。
【００６２】
前記穴１２の間には、図１に示すように、凹溝１４が備えられるが、前記凹溝１４は、前記案内部材４０の下端が挿入されるためのものである。前記ボディ１０に凹溝１４が備えられると、スライドアセンブリの組立時に前記案内部材４０の下端が前記ボディ１０に容易に結合され得るので便利であるが、前記ボディ１０に凹溝１４が備えられなくても関係はない。
【００６３】
前記スライダー３０は、前記ボディ１０と平行に配置され、前記ボディ１０の前面を向くように備えられる。前記スライダー３０には、図１に示すように、少なくとも一つの長いスロット３６が備えられる。前記スロット３６は、例えば二つが備えられ、前記スライダー３０のスライディング方向の両側にそれぞれ一つずつ形成される。すると、前記スライダー３０の移動時に発生しえる前記スライダー３０のローリング運動を防止できる。
【００６４】
前記スライダー３０は、例えば、中央部３２と、側面部３３とを含んでなる。ここで、前記中央部３２は、前記ボディ１０の前面と向き合い、前記側面部３３は、前記中央部３２の両側で前記中央部３２より高く備えられる。
【００６５】
前記側面部３３は、前記弾性部材２０によって弾力的に支持され、前記中央部３２は、ボディ１０の前面と直接接触しないことが好ましい。したがって、若し、前記スライダー３０を前記ボディ１０方向に押せば、前記スライダー３０は、前記ボディ１０側に弾力をもって移動する。そして、スライダー３０を押していた力を除去すると、前記スライダー３０は、前記弾性部材２０の弾力によって再び上昇する。したがって、前記スライダー３０の動きが弾力良くスムースに感じられる。
【００６６】
一方、前記スライダー３０の側面部３３には、少なくとも一つの長いグルーブ３４が備えられ、前記スロット３６は、前記グルーブ３４の底に備えられる。ここで、前記グルーブ３４とスロット３６は、前記スライダー３０の移動方向に沿って備えられるが、前記グルーブ３４の長さや幅は、前記スロット３６のそれより長く広く形成される。上記のように備えられた前記グルーブ３４には、前記案内部材４０の上端が挿入される。
【００６７】
前記案内部材４０は、前記スロット３６を貫通して前記ボディ１０に連結される。このような案内部材４０は、例えば、前記スライダー３０がボディ１０を滑りやすいように案内するガイド４２と、前記スライダー３０が前記ボディ１０から離脱することを防止するヘッド４４と、を含んでなる。
【００６８】
ここで、前記ガイド４２は、図１に示すように、前記スロット３６を貫通して前記ボディ１０に連結される。したがって、前記スライダー３０は、前記ガイド４２の案内に従って前記スロット３６の長さ方向に沿って安定的に滑りやすくなる。
【００６９】
このようなガイド４２は、前記スライダー３０のヨーイング（ｙａｗｉｎｇ）運動を防止し、前記スライダー３０を安定的に案内するために、前記スロット３６の長手方向に沿って長く備えられることもある。一方、前記ガイド４２の下端は、図１に示すように、前記ボディ１０に備えられた凹溝１４に挿入される。
【００７０】
そして、前記ヘッド４４は、前記ガイド４２の上端から延長される。前記ヘッド４４は、前記スライダー３０が前記ボディ１０と分離されることを防止するために、前記スロット３６より広い幅を有する。また、前記ヘッド４４は、例えば、前記グルーブ３４の幅と同じか、それよりやや狭い幅を有する。すると、前記ヘッド４４が前記グルーブ３４に挿入されるので、スライドアセンブリの厚みを減らすことができる。
【００７１】
更に、前記ヘッド４４の上面は、前記グルーブ３４の上面より低い高さに備えられることが好ましい。すると、前記スライダー３０の前面、つまり、前記ボディ１０と向き合う面の反対側の面にどんな部品が取り付けられても、前記スライダー３０の移動時に前記部品と前記ヘッド４４とがぶつかることを防止できる。
【００７２】
一方、前記スライダー３０のグルーブには、例えば、カバー６０が挿入され得る。前記カバー６０は、前記カバー６０は、図１及び図２に示すように、長く形成され、前記グルーブ３４に嵌合固定される。すると、前記カバー６０が前記グルーブ３４とスロット３６を覆い、これによって前記スライダー３０の前面に各種の部品を容易に取り付け得る。
【００７３】
前記弾性部材２０は、前記ボディ１０とスライダー３０に接触するように備えられ、前記ボディ１０とスライダー３０を弾力的に支持する。このような弾性部材２０は、例えば、前記ボディ１０の背面に取り付けられ、その一部が前記ボディ１０の穴１２を貫通した後、前記スライダー３０の側面部３３に弾力的に接触する。すると、スライドアセンブリの厚みを減らすことができ、前記スライダー３０と、案内部材４０とを分離せずとも前記弾性部材２０のみを取り替えることができる。したがって、携帯電話の修理などが容易になるという長所を有する。
【００７４】
しかし、上記の構造に限らず、前記弾性部材２０を前記ボディ１０の前面に取り付けることもできる。この場合、前記ボディ１０には前記穴１２が備えられなくても良い。
【００７５】
前記弾性部材２０は、図１及び図３に示すように、前記ボディ１０の背面に取り付けられる平面部２１、及び前記平面部２１から前記ボディ１０側に突出した少なくとも一つのベンディング部２２を含んでなる。ここで、前記ベンディング部２２は、前記平面部２１の両端部から延長され、それぞれ前記穴１２を貫通した後、前記スライダー３０と接触して、前記スライダー３０を弾力的に支持する。
【００７６】
一方、前記弾性部材２０、特に前記ベンディング部２２は、図２に示すように、前記スロット３６の両側と隣接したスライダー３０の一部分を支持する。このために、前記ベンディング部２２は、前記スロット３６の幅より大きい幅を有する。
【００７７】
上記のように備えられる前記弾性部材２０は、また、図２、図４、及び図５に示すように、前記スライダー３０の移動方向に対して前記案内部材４０の前方と後方で前記スライダー３０を支持する。すると、長さの長い前記スライダー３０が動く時に発生し得るピッチング運動を防止できる。
【００７８】
一方、前記弾性部材２０、前記案内部材４０、及び前記ボディ１０は相互に固定される。
【００７９】
ここで、前記弾性部材２０と前記案内部材４０は、接着剤、又は別途の結合部材によってそれぞれ前記ボディ１０に固定され得る。
【００８０】
しかし、本発明では、図１に示すように、スライドアセンブリの構造が単純で、容易な組立が可能なように、前記弾性部材２０、案内部材４０、及びボディ１０が一つの固定部材５０によって一度に固定される構造を提示している。
【００８１】
このために、前記弾性部材２０の平面部２１、前記ボディ１０の凹溝１４、及び案内部材４０には、それぞれ貫通ホール２６、１６、４６が相互に連通するように備えられる。
【００８２】
そして、前記固定部材５０、例えば、スクリューが前記弾性部材２０と、前記ボディ１０を貫通した後、前記案内部材４０に結合される。
【００８３】
一方、前記スライダー３０は、前記弾性部材２０によって弾力的に支持されるので、前記スライダー３０の移動後に、外力が前記スライダー３０に加えられさえしなければ前記スライダー３０の位置が変わることはないが、電話機の操作中に予期しなかった外力によって前記スライダー３０が移動することがある。したがって、これを防止するために、前記スライダー３０の初期位置と、最終位置を固定するための構造が必要である。
【００８４】
ここで、前記初期位置とは、スライダー３０がボディ１０から滑る前の位置をいい、最終位置は、スライダー３０がボディ１０から最大に滑りきった位置をいう。
【００８５】
このために、本発明に係るスライドアセンブリには、前記弾性部材２０を拘束して前記スライダー３０の初期位置と、最終位置とを決定する少なくとも一つの突起３８が備えられる。前記突起３８は、前記スライダー３０、より詳細には前記グルーブ３４の端部と、前記スロット３６の端部との間でボディ１０側に突出する。
【００８６】
このような構造を有する場合、前記スライダー３０が前記スロット３６の両先端に移動して止まった時、つまり、前記スライダー３０が初期、又は最終の位置にある時に、図４及び図５に示すように、前記弾性部材２０のベンディング部２２が前記突起３８によって拘束される。したがって、前記スライダー３０は、初期位置及び最終位置で安定的に固定される。
【００８７】
一方、前記スライダー３０を初期位置、又は最終位置から他の位置に移動させるために前記スライダー３０を押すと、前記弾性部材２０のベンディング部２２が前記突起３８を経由時に弾性変形された後、復元される。この際、前記弾性部材２０は、“カチッ”という音を出す。
【００８８】
したがって、前記突起３８が備えられる場合、スライダー３０の初期、及び最終位置を安定的に決定できるばかりでなく、スライダー３０操作時にユーザーがスライダー３０の作動状態を把握することができる。また、操作時の感じも良くなる。
【００８９】
以下では、図４及び図５を参照にして、本発明に係るスライドアセンブリの作動についてより詳細に説明する。ここで、図４は、スライダーが初期位置にある時を示す断面図で、図５は、スライダーが最終位置にある時を示す断面図である。
【００９０】
図４に示すように、スライダー３０が初期の位置にある時、前記スロット３６の一端部は前記案内部材４０のガイド４２と触れ合い、前記突起３８のうち何れか一方は、前記弾性部材２０のベンディング部２２のうち何れか一方に触れ合う。ここで、前記突起３８は、前記ベンディング部２２と、前記案内部材４０との間に位置する。
【００９１】
したがって、前記案内部材４０は、前記スライダー３０が図４の右側方向に移動することを防止し、前記突起３８と弾性部材２０は、前記スライダー３０が図４の左側の方向に移動することを防止する。これにより、強い外力がスライダー３０に加えられさえしなければ、前記スライダー３０は安定的に初期位置を維持することができる。
【００９２】
前記スライダー３０に図４の右側方向に強い力が加えられると、前記スライダー３０と共に前記突起３８は、前記弾性部材２０のベンディング部２２を押しながら図４の左側に移動する。前記突起３８が移動すると、前記ベンディング部２２は、図４の下方に移動した後、弾力によって再び元の位置に戻る。この際、“カチッ”という音が発生し、その振動がユーザーの手に伝達されるので、ユーザーは携帯電話のスライドアセンブリが正常に作動していることが分かる。
【００９３】
そして、前記スライダー３０が図４の左側方向に移動する時、前記スロット３６と案内部材４０がスライダー３０の滑り移動を案内する。前記スライダー３０が移動し続けると、前記突起３８のうち他方が前記弾性部材２０のベンディング部２２のうち他方を経て最終位置に至る。この際、前記ベンディング部２２によって“カチッ”という音が発生し、振動が手に伝達されるので、ユーザーはスライダー３０の移動が完全に終わったことが分かる。
【００９４】
図５に示すように、前記最終の位置で、前記案内部材４０のガイド４２は、前記スロット３６の他端部と接触し、前記突起３８のうち他方は、前記弾性部材２０のベンディング部２２のうち他方と接触する。
【００９５】
したがって、前記案内部材４０は、前記スライダー３０が図５の左側方向に更に移動することを防止し、前記突起３８と、弾性部材２０は、前記スライダー３０が図５の右側方向に移動することを防止する。これにより、強い外力が図５の右側方向に前記スライダー３０に加えられさえしなければ、前記スライダー３０は安定的に最終位置を維持することができる。
【００９６】
前記スライダー３０が最終位置にある時にユーザーは通話をしたり、文字などを入力するなど、携帯電話機を使用できる。
【００９７】
勿論、前記スライダー３０にキーパッド、及びディスプレイが備えられる場合には前記スライダー３０が初期位置にある時にも携帯電話機の使用が可能となる。
【００９８】
上述した実施の形態の外にも、本発明がその趣旨及び範疇から外れない限り他の様々な形態で具体化され得ることは該当技術に通常の知識を有する者には自明なことであろう。
【００９９】
したがって、本発明の実施の形態は制限的なものではない例示的なものとして認められるべきであり、添付の請求項、及びその同等範囲内の全ての実施の形態は本発明の範疇内に含まれる。
【０１００】
（要約）
スライドアセンブリの構造を単純化させ、前記スライドアセンブリが適用される携帯電話やＰＤＡなどの移動通信端末機の厚みを減らすと共に、製作時の生産性を向上させることのできる、移動通信端末機用スライダーアセンブリを提供する。ボディと、前記ボディと平行に配置され、少なくとも一つの長いスロットを含んでなるスライダーと、前記スロットを貫通して前記ボディに連結され、前記スライダーが前記ボディを滑りやすいように案内し、前記スライダーが前記ボディから離脱することを防止する少なくとも一つの案内部材とを含むことを特徴とする。
【図面の簡単な説明】
【０１０１】
【図１】本発明に係るスライドアセンブリの一実施形態を示す分解斜視図である。
【図２】組み立てられた図１のスライドアセンブリからカバーのみを分離した状態を示す斜視図である。
【図３】組み立てられた図１のスライドアセンブリを後から見た斜視図である。
【図４】組み立てられた図１のスライドアセンブリでスライダーが初期の位置にある時を示す断面図である。
【図５】図４のスライドアセンブリでスライダーが最終の位置にある時を示す断面図である。
【符号の説明】
【０１０２】
１０  ボディ
２０  弾性部材
３０  スライダー
３４  グルーブ
３６  スロット
３８  突起
４０  案内部材
５０  固定部材
６０  カバー
【図１】
2005086836.tif 000003
【図２】
2005086836.tif 000004
【図３】
2005086836.tif 000005
【図４】
2005086836.tif 000006
【図５】
2005086836.tif 000007